(57)【要約】  【課題】  本考案は、設置が容易なうえに抜けにくいアンカーピン付杭を提供する。  【解決手段】  アンカーピン付杭１は、その側面に杭長さの方向に対し斜めに貫通するアンカーホール３を穿設し、アンカーホール３の杭頭部側の開口端を地面付近に露出させた状態で地中Ｇに打ち込み、この開口端からアンカーピン４をアンカーホール３に挿入してアンカーピン付杭１を貫通させ、アンカーピンの頭部（ピン頭部）４ａが杭１の側面に当接した状態になるまで先を地中Ｇに打ち込む。【選択図面】  図１
0003113392.tif 000002
【実用新案登録請求の範囲】
【請求項１】
抜け止め用のアンカーピンを具備する杭であって、この杭はその側面に杭長さの方向に対し斜めに貫通するアンカーホールが穿設されており、同アンカーホールの杭頭部側の開口端を地面付近に露出させた状態で地中に打ち込まれ、前記アンカーピンは前記開口端から前記アンカーホールに挿入されて前記杭を貫通し、少なくとも前記アンカーピンの頭部が前記杭の側面からわずかに突出した状態になるまで先が地中に打ち込まれることを特徴するアンカーピン付杭。
【請求項２】
前記アンカーホールが杭長さの方向に所定間隔で複数設けられていることを特徴とする請求項１記載のアンカーピン付杭。
【請求項３】
前記アンカーホールと対をなす別のアンカーホールが、前記杭の横断面中心を通る軸に対して対称となるように設けられていることを特徴とする請求項１または２記載のアンカーピン付杭。
【請求項４】
少なくとも前記杭または前記アンカーピンのいずれか一方の打込側の外周面に、抜け止め用の凹凸が設けられていることを特徴とする請求項１〜３のいずれかに記載のアンカーピン付杭。
【請求項５】
前記杭の頭部に境界表示標識が取り付けられていることを特徴とする請求項１〜４のいずれかに記載のアンカーピン付杭。
【考案の詳細な説明】
【技術分野】
【０００１】
本考案は、抜け止め用のアンカーピンを具備する杭であって、設置が容易であるうえに抜けにくいアンカーピン付杭に関するものである。
【背景技術】
【０００２】
一般的に、地中に打ち込んで目印や支柱の用に供する杭は、石材や木材、金属材料やプラスチックなどを用いて形成されており、一端部を先細りの形状にすることによって地中に打ち込み易くしている。このような杭は、打ち込みが容易である半面、引き抜き易いという欠点があり、位置を変えられたり抜き取られたりする場合がある。
【０００３】
そこで、下部に抜け止め用のピンを設けた杭が提案されている（例えば、特許文献１参照）。この杭は角パイプを用いて形成されており、一端部に境界明示標識を取り付けるとともに、他端部に抜け止め用のピンを杭周囲に飛び出した状態で取り付けた境界杭であり、ピンがある方を下向きにして地中に埋設することによって、ピンが杭の引抜力に対する抵抗となって抜けにくいというものである。
【特許文献１】実用新案登録第３０２２７１７号公報（第３頁、第１および２図）
【考案の開示】
【考案が解決しようとする課題】
【０００４】
しかしながら、上記のような抜け止め用のピンを備えた杭の場合、あらかじめ杭を埋設するための穴を掘らなければならず、しかも、ピンが飛び出ている分だけ穴を広げなければならなので杭の設置に手間を要する。特に、設置場所の地面が堅かったり、設置本数が多い場合には、多大な労力と時間を必要とする。
【０００５】
そこで本考案は、設置が容易なうえに抜けにくいアンカーピン付杭の提供を目的とするものである。
【課題を解決するための手段】
【０００６】
上記の課題を解決するため請求項１に記載のアンカーピン付杭は、抜け止め用のアンカーピンを具備する杭であって、この杭はその側面に杭長さの方向に対し斜めに貫通するアンカーホールを穿設し、同アンカーホールの杭頭部側の開口端を地面付近に露出させた状態で地中に打ち込み、前記アンカーピンは前記開口端から前記アンカーホールに挿入して前記杭を貫通させ、少なくとも前記アンカーピンの頭部が前記杭の側面からわずかに突出した状態になるまで先を地中に打ち込むことを特徴としている。
【０００７】
請求項１記載のアンカーピン付杭によれば、前記アンカーホールを杭長さの方向に対し斜めに貫通するように設けているため、前記杭を地中に打ち込んだあとで前記杭を前記アンカーホールに挿入することができ、あらかじめ埋設用の穴を掘ることをせずに前記杭を地中に打ち込むことができる。
【０００８】
そして、前記アンカーホールに挿入した前記アンカーピンは、杭長さの方向、つまり前記杭が打ち込まれる方向とは異なる向きで地中に打ち込まれた状態になるので、前記杭を引き抜く方向の力に対して抵抗となり、前記杭を抜けにくくしている。さらに、前記アンカーピンは、その頭部が前記杭の側面からわずかに突出した状態になるまで地中に打ち込まれ、アンカーピン自体も抜き取りにくくなっていることから、前記杭は簡単に抜けないようになってる。
【０００９】
請求項２に記載のアンカーピン付杭は、アンカーホールを杭長さの方向に所定間隔で複数設けることを特徴としている。こうすると、前記杭の打ち込み深さをある程度調節できるようになる。
【００１０】
請求項３に記載のアンカーピン付杭は、アンカーホールと対をなす別のアンカーホールを、杭の横断面中心を通る軸に対して対称となるように設けることを特徴としている。こうすると、前記アンカーホールと前記別のアンカーホールとに挿入さるアンカーピンが、前記軸に対して対称となるように地中に打ち込まれた状態になるため、前記杭の引き抜き方向の力に対する抵抗力が増し、前記杭がより抜けにくくなる。
【００１１】
請求項４に記載のアンカーピン付杭は、少なくとも杭またはアンカーピンのいずれか一方の打込側の外周面に、抜け止め用の凹凸を設けることを特徴としている。こうすると、打込側の外周面に設けた前記凹凸が抵抗になり、地中に打ち込んだ前記杭や前記アンカーピンが抜けにくくなることから、前記杭を抜けにくくすることができる。
【００１２】
請求項５に記載のアンカーピン付杭は、前記杭の頭部に境界表示標識を取り付けることを特徴としている。こうすると、設置しやすいうえに抜けにくい境界杭を提供できるようになる。
【考案の効果】
【００１３】
本考案のアンカーピン付杭は、あらかじめ設置用の穴を掘る手間が省け、アンカーピンを、打ち込んだ杭に貫通させ地中に打ち込むだけ良いため、簡単に杭の設置が行なえる。しかも、設置した杭は抜きにくいため、場所を移し変えられたり抜き取られたりするのを防止できる。
【００１４】
アンカーピンを挿入するアンカーホールを、杭長さの方向に複数設けておくと、杭の打ち込み深さに応じたアンカーホールを使用してアンカーピンを取り付けることができるため、例えば、地中に障害物がある等様々な場所での設置が可能になる。
【００１５】
また、アンカーホールと対をなす別のアンカーホールを杭の横断面中心を通る軸に対して対称に設けるようにすれば、この軸に対して各アンカーピンは対称な配置となり、抜き取り方向の力に対する抵抗力が増すため、杭の場所移動や抜き取りをより効果的に防止できる。さらに、杭の打込側の外周面に凹凸を設けるとより抜けにくくなるし、アンカーピンの打込側の外周面に凹凸を設ければアンカーピンが抜けにくくなり、延ては、杭が抜けにくくなるため、杭の移設防止や抜き取り防止効果を向上させることができる。
【００１６】
杭の頭部に境界表示標識を取り付けると、設置が容易なうえに抜けにくい標識杭の提供が可能になる。
【考案を実施するための最良の形態】
【００１７】
以下に、本考案にかかるアンカーピン付杭の実施形態について、図１〜４を参照しつつ説明する。
【００１８】
図１に示すようにアンカーピン付杭１（以下、単に杭ともいう）は、硬質の合成樹脂を用いて長さ約６００ｍｍで一辺の長さが約４６ｍｍ角の四角柱状に形成されている。杭１の打込側端部は四隅を斜めにカットした先細りの形状になっており、反対側の杭頭部は上面に境界を示す十字型の溝２ａが形成されているキャップ２が取り付けられている。このキャップ２は他の部分と同一断面形状に形成されたブロック状のもので、赤色等の比較的目立つ色に着色された合成樹脂を用いて形成されている。
【００１９】
そして、杭１の一側面にはキャップ上面から打込側端部の方へ２２０ｍｍ離れた位置に、対向する側面の下方に向かって斜め貫通したアンカーホール３が穿設され、さらに８０ｍｍ離れた位置に別のアンカーホール３が穿設されている。これらのアンカーホール３の貫通方向と杭長さの方向とがなす角のうち鋭角の方の角度は約３０°になっている。
【００２０】
この杭１は図２に示すように、アンカーホール３の杭頭部側の開口端を地面付近に露出させた状態で地中Ｇに打ち込まれ、その開口端から鉄製のアンカーピン４がアンカーホール３に挿入されている。このアンカーピン４は直径約１２ｍｍ×長さ約４００ｍｍに形成されており、杭１を貫通し、端部を拡径し形成したピン頭部４ａが杭１の側面に当接するまで先が地中に打ち込まれている。
【００２１】
このようにして打ち込まれたアンカーピン４は、杭長さの方向と異なる方向に打ち込まれているため、杭１の引き抜き方向の力に対しては抵抗となる。したがって、杭１は容易に抜けにくく、場所を移し替えたり抜き取ることが簡単にできなくなる。
【００２２】
また、アンカーピン４は杭１を打ち込んだあとでもアンカーホール３に挿入できるため、埋設用の穴を掘る必要がなく、簡単に杭の設置が行なえる。
【００２３】
なお、杭１に用いる合成樹脂としては、廃棄プラスチックをリサイクルしたものや、ＡＳ樹脂（アクリロニトリルスチレン樹脂）、ＡＢＳ樹脂（アクリロニトリルブタジエンスチレン樹脂）、ＰＰ（ポリプロピレン）等を用いることができる他、木材、金属材料などを用いて形成することもできる。また、打込側端部を硬質の材料を用いて別に形成して杭に取り付けるようにしても良い。アンカーピン４は合成樹脂や木材など金属以外の材料で形成することもできる。また、杭１やアンカーピン４の横断面形状は任意の設定が可能で、四角形状や円形以外にも、楕円状や三角形状や六角形状等の多角形状とすることもできる。
【００２４】
アンカーピン付杭１は、アンカーホール３を二箇所に設けており、杭１の打ち込み深さに応じてどちらかを選択して使用することができる。アンカーホール３は二箇所とは限らず、一箇所でも良いし、杭長さの方向に所定の間隔ごとに複数設けるようにしても良い。
【００２５】
それから、図３に示すようにアンカーホール３と対をなす別のアンカーホール５を、杭１の横断面中心を通る軸ｘを対称として設け、このアンカーホール５にもアンカーピンを挿入することにより、杭の引き抜き方向に対する抵抗力が増すため、より一層抜くことが難しくなる。
【００２６】
また、図４（ａ）に一例をしめすように、杭１やアンカーピン４の打込側の外周面に凹凸を設けて抵抗を大きくすることで、より抜けにくくすることができる。図４（ａ）は杭１の打込側の外周面を示している部分拡大図で、外周面には一回りするように形成された溝を杭長さの方向に間隔をあけて複数形成している。
【００２７】
なお、本発明にかかるアンカーピン付杭は境界杭に限ることなく、例えば、図４（ｂ）に示すように、ビニールハウスの骨組を支えるための支持杭としても用いることができる。図に示している支持杭１’は、杭頭部の上面に打込側端部に向かって差込孔１ａ’が設けられている。そして、この差込孔１ａ’に骨部材１０の下端部を挿入し、杭頭部と骨部材１０の下端部とにそれぞれ形成されている連結孔１ｂ’・１０ａに、先端部がねじになっている連結ボルトＢを貫通させたうえで先端部にナットＮを締結し、杭１と骨部材１０とを連結するようになっている。
【図面の簡単な説明】
【００２８】
【図１】本考案にかかるアンカーピン付杭の実施形態を示す図であり、（ａ）は斜視図、（ｂ）は縦断面図を示している。
【図２】図１に示すアンカーピン付杭の打込み状態を示す説明図で、（ａ）は杭を地中に打ち込んだ状態で、（ｂ）はさらにアンカーピンを打ち込んだ状態を示している。
【図３】本考案にかかるアンカーピン付杭の別の実施形態を示す図であり、（ａ）は斜視図、（ｂ）は縦断面図、（ｃ）は杭の設置を示した説明図である。
【図４】（ａ）は本考案にかかるアンカーピン付杭の打込側の外周面に設ける凹凸の実施形態を示す部分拡大図であり、（ｂ）は本考案にかかるアンカーピン付杭を支持杭として用いた場合の実施形態であり、その縦断面図を示している。
【符号の説明】
【００２９】
１、１’  アンカーピン付杭
１ａ’    差込孔
１ｂ’    連結孔
２        キャップ
２ａ      溝
３、５    アンカーホール
４        アンカーピン
４ａ      ピン頭部
１０      骨部材
１０ａ    連結孔
【図１】
0003113392.tif 000003
【図２】
0003113392.tif 000004
【図３】
0003113392.tif 000005
【図４】
0003113392.tif 000006